(57)【要約】【課題】    感圧部の内圧の一部を外部に逃がす通路を容易に形成しながら、感圧部の内圧の一部を確実に外部に逃がすことができる睡眠センサを提供する。【解決手段】感圧部（30）の連結口（33）に、受圧部（40）の挿入部（43）が挿入されることで感圧部（30）と受圧部（40）とが接続される。この挿入部（43）の外周面に逃がし通路（50）を形成することで、感圧部（30）の内部と外部とが連通する。したがって、感圧部（30）の内圧が上昇する際には、この内圧の一部を上記逃がし通路（50）より感圧部（30）の外部へ逃がすことができる。【選択図】  図２
2006181071.tif 000002
【特許請求の範囲】
【請求項１】
就寝者の体動に伴う圧力が作用する中空状の感圧部（30）と、該感圧部（30）の連結口（33）に接続されるとともに該感圧部（30）から生じる内圧を受けて圧力信号を出力する受圧部（40）とを備えた睡眠センサであって、
上記受圧部（40）には、上記感圧部（30）の内部と外部とを連通させるための逃がし通路（50）が形成されていることを特徴とする睡眠センサ。
【請求項２】
請求項１において、
上記受圧部（40）は、上記感圧部（30）の連結口（33）に挿入される挿入部（43）を有するとともに該感圧部（30）の内部と連通する中空状のケーシング（41）と、該ケーシング（41）に収納されて感圧部（30）の内圧を受けるセンサ部（42）とを備え、
上記逃がし通路（50）は、上記ケーシング（40）の挿入部（43）の外周面に形成されていることを特徴とする睡眠センサ。
【請求項３】
請求項１において、
上記受圧部（40）は、上記感圧部（30）の内部と連通する中空状のケーシング（41）と、該ケーシング（41）に収納されて感圧部（30）の内圧を受けるセンサ部（42）とを備え、
上記ケーシング（41）には、センサ部（42）と接続するリード線（46）をケーシング（41）の外部に導く配線口（45）が形成され、
上記逃がし通路（50）は、少なくとも上記配線口（45）の内周面に形成されていることを特徴とする睡眠センサ。
【請求項４】
請求項１乃至３のいずれか１つにおいて、
上記受圧部（40）には、該受圧部（40）の逃がし通路（50）を覆うようにしてカバー（60）が装着されていることを特徴とする睡眠センサ。
【発明の詳細な説明】
【技術分野】
【０００１】
本発明は、就寝者の体動に伴う圧力を検知する睡眠センサに関するものである。
【背景技術】
【０００２】
従来より、就寝者の睡眠状態をモニタリングする体動測定装置などに適用される睡眠センサが知られている。
【０００３】
例えば、特許文献１に開示されている体動測定装置の睡眠センサは、中空状の感圧部と、マイクロフォンから成る受圧部とを備えている。感圧部は、可撓体で形成されたフレームにより構成されており、その内部に空間が形成されている。この感圧部は横臥状態の就寝者の下に位置するようにベッドなどの寝具に敷設される。上記受圧部は、感圧部の連結口に接続されている。この受圧部は、就寝者の体動に伴い発生する感圧部の内圧が作用するように構成されている。また、受圧部はリード線を介して体動測定装置の回路ユニットに接続される。
【０００４】
例えば就寝者が体動を生起すると、感圧部の内圧が上昇し、この内圧が受圧部に作用する。その結果、受圧部は就寝者の体動（呼吸・心拍などに由来する微動、あるいは寝返り、入床、着床などに由来する粗動）に伴う圧力信号を回路ユニットに出力する。そして、この体動測定装置では、回路ユニットにおいて上記圧力信号に基づき就寝者の睡眠状態の判定が行われる。
【０００５】
また、上記睡眠センサの感圧部の端部には微細な通気穴が形成されている。そして、この睡眠センサでは、例えば就寝者がベッドに飛び乗ったり、強い衝撃をベッドに与えたりした際、過剰に上昇する感圧部の内圧の一部を上記通気穴より外部に逃がすようにしている。つまり、この睡眠センサは、感圧部の内部において過剰に上昇した内圧が受圧部に作用してしまうことを抑制し、睡眠センサの圧力信号が飽和状態となることを回避するようにしている。
【特許文献１】特開平１１−２８１９５号公報
【発明の開示】
【発明が解決しようとする課題】
【０００６】
ところで、特許文献１に開示されているような睡眠センサは、就寝者の呼吸や心拍などの微動までを圧力信号として検出できるよう、可撓性・柔軟性を有する材料で感圧部を構成している。このため、このような材料から成る感圧部に上述した通気穴を形成するのは、加工上の困難性を有していた。また、感圧部が撓んだり、曲がったりした結果、上記通気穴が閉塞してしまう恐れもあり、上述のように感圧部の内圧の一部を外部に逃がすことができなくなる可能性もあった。
【０００７】
本発明は、かかる点に鑑みてなされたものであり、その目的は、感圧部の内圧の一部を外部に逃がす通路を容易に形成しながら、感圧部の内圧の一部を確実に外部に逃がすことができる睡眠センサを提供することである。
【課題を解決するための手段】
【０００８】
第１の発明は、就寝者の体動に伴う圧力が作用する中空状の感圧部（30）と、該感圧部（30）の連結口（33）に接続されるとともに該感圧部（30）から生じる内圧を受けて圧力信号を出力する受圧部（40）とを備えた睡眠センサを前提としている。そして、この睡眠センサは、上記感圧部（30）の内部と外部とを連通させるための逃がし通路（50）が受圧部（40）に形成されていることを特徴とするものである。
【０００９】
第１の発明では、感圧部（30）の連結口（33）に受圧部（40）が接続されることで睡眠センサが構成される。就寝者の体動に伴う圧力が感圧部（30）に作用すると、感圧部（30）の内圧が受圧部（40）に作用する。その結果、受圧部（40）は就寝者の体動に伴う圧力信号を所定の回路ユニットなどに出力する。
【００１０】
ここで、上記受圧部（40）には逃がし通路（50）が形成される。このため、就寝者の体動に伴い感圧部（30）の内圧が著しく上昇する際、この内圧の一部を受圧部（40）の逃がし通路（50）より感圧部（30）の外部に逃がすことができる。
【００１１】
第２の発明は、第１の発明において、上記受圧部（40）は、上記感圧部（30）の連結口（33）に挿入される挿入部（43）を有するとともに該感圧部（30）の内部と連通する中空状のケーシング（41）と、該ケーシング（41）に収納されて感圧部（30）の内圧を受けるセンサ部（42）とを備え、上記逃がし通路（50）は、上記ケーシング（40）の挿入部（43）の外周面に形成されていることを特徴とするものである。
【００１２】
第２の発明では、受圧部（40）が中空状のケーシング（41）と、該ケーシング（41）に収納されるセンサ部（42）とを備える。また、ケーシング（41）には、挿入部（43）が形成されており、この挿入部（43）が受圧部（40）の連結口（33）に挿入されて睡眠センサが構成される。また、ケーシング（41）は、感圧部（30）の内部と連通している。このため、就寝者の体動に伴う圧力が感圧部（30）に作用すると、感圧部（30）のケーシング（41）の内部にまで作用する。その結果、感圧部（30）の内圧がセンサ部（42）に作用し、受圧部（40）より圧力信号が出力される。
【００１３】
ここで、逃がし通路（50）は、感圧部（30）の連結口（33）に挿入される挿入部（43）の外周面に形成される。すなわち、逃がし通路（50）は、感圧部（30）の連結口（33）の内周面と挿入部（43）の外周面との間に形成される。このため、就寝者の体動に伴い感圧部（30）の内圧が著しく上昇する際には、この内圧の一部を挿入部（43）の逃がし通路（50）より感圧部（30）の外部に逃がすことができる。
【００１４】
第３の発明は、第１の発明において、上記受圧部（40）は、上記感圧部（30）の内部と連通する中空状のケーシング（41）と、該ケーシング（41）に収納されて感圧部（30）の内圧を受けるセンサ部（42）とを備え、上記ケーシング（41）には、センサ部（42）と接続するリード線（46）をケーシング（41）の外部に導く配線口（45）が形成され、上記逃がし通路（50）は、少なくとも上記配線口（45）の内周面に形成されていることを特徴とするものである。
【００１５】
第３の発明では、就寝者の体動に伴う圧力が感圧部（30）に作用すると、感圧部（30）の内圧がケーシング（41）の内部にまで作用する。その結果、感圧部（30）の内圧がセンサ部（42）に作用し、受圧部（40）より圧力信号が出力される。
【００１６】
また、センサ部（42）には、該センサ部（42）の出力信号を回路ユニットなどに出力するためのリード線（46）が接続される。このため、ケーシング（41）には、センサ部（42）に接続されたリード線（46）を外部に導くための配線口（45）が形成される。そして、逃がし通路（50）がこの配線口（45）の内周面に形成される。このため、就寝者の体動に伴い感圧部（30）の内圧が著しく上昇する際には、この内圧の一部を配線口（45）に形成された逃がし通路（50）より感圧部（30）の外部に逃がすことができる。
【００１７】
第４の発明は、第１乃至第３のいずれか１つの発明において、上記受圧部（40）に、該受圧部（40）の逃がし通路（50）を覆うようにしてカバー（60）が装着されていることを特徴とするものである。
【００１８】
第４の発明では、受圧部（40）にカバーが装着されることで受圧部（40）が保護される。また、受圧部（40）にカバー（60）が装着されると、このカバー（60）によって受圧部（40）に形成される逃がし通路（50）も覆われることになる。このため、ゴミや埃などが逃がし通路（50）内に進入し、逃がし通路（50）が閉塞してしまうことを未然に防止することができる。
【発明の効果】
【００１９】
本発明によれば、受圧部（40）に逃がし通路（50）を形成することで、感圧部（30）の内圧が著しく上昇した際、この内圧の一部を逃がし通路（50）を介して感圧部（30）の外部に逃がせるようにしている。このため、受圧部（40）に高圧状態の内圧が作用してしまうことを抑制でき、受圧部（40）の圧力信号が飽和状態となってしまうことを防止できる。また、この内圧により受圧部（40）が故障してしまうことも防止できる。したがって、この睡眠センサの信頼性の向上を図ることができる。
【００２０】
また、従来の睡眠センサであれば、柔軟性・可撓性を要する感圧部に逃がし通路（通気穴）を形成していたため、通気穴の加工が困難であったが、本発明では、柔軟性・可撓性を要さない受圧部（40）に逃がし通路（50）を形成するため、容易に逃がし通路（50）を加工することができる。また、従来の睡眠センサであれば、感圧部が撓んだり、曲がったりして逃がし通路が閉塞してしまう可能性もあったが、本発明では、受圧部（40）に逃がし通路（50）を形成するため、このような撓みや変形による逃がし通路（50）の閉塞の恐れもない。したがって、感圧部（30）の内圧の一部を外部に確実に逃がすことができる。
【００２１】
また、上記第２の発明によれば、感圧部（30）と受圧部（40）とを接続するための挿入部（43）の外周面に逃がし通路（50）を形成するようにしている。したがって、逃がし通路（50）を容易に加工することができる。また、逃がし通路（50）は、感圧部（30）の連結口（33）の内周面と挿入部（43）の外周面との間に形成されるため、逃がし通路（50）へのゴミや埃の進入を効果的に防止することができる。したがって、逃がし通路（50）の閉塞を未然に防止でき、睡眠センサの信頼性を向上できる。
【００２２】
また、上記第３の発明によれば、センサ部（42）のリード線（46）が導通する配線口（45）の内周面に逃がし通路（50）を形成している。このため、逃がし通路（50）を一層容易に加工することができる。
【００２３】
さらに、上記第４の発明によれば、受圧部（40）にカバー（60）を装着することで、受圧部（40）を保護するとともに、逃がし通路（50）へのゴミや埃の進入を確実に防ぐことができる。したがって、逃がし通路（50）の閉塞を確実に防止でき、睡眠センサの信頼性を一層向上させることができる。
【発明を実施するための最良の形態】
【００２４】
以下、本発明の実施形態を図面に基づいて詳細に説明する。
【００２５】
《発明の実施形態１》
本発明の実施形態１について図を参照しながら説明する。
【００２６】
実施形態１の睡眠センサ（20）は、就寝者の睡眠状態をモニタリングする体動測定装置（10）に適用されるものである。図１に示すように、睡眠センサ（20）は、回路ユニット（15）に接続されている。そして、睡眠センサ（20）は、就寝者の体動を検出し、この体動に伴う圧力信号を回路ユニット（15）に出力する。この睡眠センサ（20）は、感圧部（30）と受圧部（40）とで構成されている。
【００２７】
感圧部（30）は、就寝者の下に位置するよう寝具に敷設されており、就寝者の体動に伴う圧力が作用するものである。本実施形態の感圧部（30）は、中空状で細長のチューブ形状に形成されている。図２に示すように、この感圧部（30）は、フレーム（31）と封止部材（32）とを備えている。フレーム（31）は、両端が開放された円筒状に形成されている。このフレーム（31）は、可撓性・柔軟性を有する材料で構成されている。そして、フレーム（31）の前端（図２における左端）の開口は封止部材（32）で閉塞されている。一方、フレーム（31）の後端には、受圧部（40）との連結口（33）が形成されている。
【００２８】
受圧部（40）は、感圧部（30）の内部で生じる内圧を受けて圧力信号を回路ユニット（15）に出力するものである。この受圧部（40）は、中空状のケーシング（41）と、このケーシング（41）に収納されるセンサ部（42）とを備えている。ケーシング（41）は、略円筒状に形成されており、その前端部が突出している。そして、この突出部が上記感圧部（30）の連結口（33）に挿入される挿入部（43）を構成している。この挿入部（43）には、前後方向に連通路（44）が形成されている。そして、連通路（44）は、感圧部（30）の内部とケーシング（41）の内部とを連通させる。また、ケーシング（41）の後面には、配線口（45）が形成されている。この配線口（45）には、外部端子（47）が貫通した状態で保持されている。
【００２９】
センサ部（42）は、圧力センサやマイクロフォンなどで構成される。このセンサ部（42）は、ケーシング（41）の内周面と密着するようにしてケーシング（41）の内部の前方寄りに配置されている。そして、センサ部（42）の前面部が連通路（44）の後端に臨んでいる。また、センサ部（42）の後面部には、リード線（46）が接続されている。このリード線（46）は、上記配線口（45）に保持される外部端子（47）を介してケーシング（41）の外部に導かれ、上記回路ユニット（15）に接続されている。
【００３０】
また、受圧部（40）には、感圧部（30）の内部と外部とを連通させるた逃がし通路（50）が形成されている。実施形態１において、この逃がし通路（50）は、上記挿入部（43）の外周面に形成されている。具体的に、図２(Ｂ)（図２(Ａ)のＺ−Ｚ断面図）に示すように、逃がし通路（50）は、挿入部（43）の外周面の一部に形成された溝で構成されており、この溝が挿入部（43）の前端から後端に亘って延在している。つまり、逃がし通路（50）は、その前方側がフレーム（31）の連結口（33）の内周面と挿入部（43）の外周面との間に形成され、その後方側は、感圧部（30）の外部に開放された状態となっている。
【００３１】
上記回路ユニット（15）は、図３に示すように、処理手段（16）、判定値設定手段（17）、及び睡眠判定手段（18）を備えている。処理手段（16）は、睡眠センサ（20）から出力された圧力信号を所定レベル、所定周波数帯域の信号に変調するものである。上記判定値設定手段（17）は、就寝者が粗動を生起しているか、微動を生起しているかの判定基準となる睡眠判定値が設定されるものである。なお、この睡眠判定値は、経験的に求められた固定値であってもよいし、例えば睡眠センサ（20）で検出される信号に基づいて適宜更新される変動値であってもよい。上記睡眠判定手段（18）は、処理手段（16）で変調された信号と、上記睡眠判定値とを比較することにより就寝者の睡眠状態を判定するものである。
【００３２】
−睡眠判定動作−
次に、本実施形態の体動測定装置（10）の睡眠判定動作について詳細に説明する。
【００３３】
就寝者が寝具上で体動を生起すると、就寝者の体動に伴う圧力が感圧部（30）に作用する。その結果、感圧部（30）の内圧が変化し、この内圧が受圧部（40）のセンサ部（42）に作用する。そして、受圧部（40）から回路ユニット（15）へ圧力信号が出力される。
【００３４】
図４のフローチャートに示すように、回路ユニット（15）へ圧力信号が入力されると、まず、処理手段（16）がこの信号を１００[sample/sec]に積算・平均化する（ステップＳ１）。次に、処理手段（16）は、この信号から人体の固有振動帯域に相当する帯域（７．５±２．５Ｈｚ）の信号を抽出する（ステップＳ２）。その後、この信号は整流化（絶対値化）された後、所定時間でピークホールドされ、いわゆる包絡線検波処理がなされる（ステップＳ３）。さらに、処理手段（16）は、この信号から比較的低周波の振動帯域（０．５Ｈｚ）の信号を抽出する（ステップＳ４）。その後、処理手段（40）は、この信号について約１０秒間隔で積算・平均化を行う（ステップＳ５）。以上のような処理手段（16）の処理によって、回路ユニット（15）に入力された信号は、特に就寝者の体動（就寝者の呼吸・心拍に由来する微動及び就寝者の入床、離床、寝返りなどに由来する粗動）が顕著化された信号（以下、体動信号と称す）に変換される。
【００３５】
一方、上記判定値設定手段（17）には、この体動信号のうち就寝者の微動と粗動とを判別するための閾値として睡眠判定値が決定されている。睡眠判定手段（18）は、この睡眠判定値と上記体動信号との比較を行う（ステップＳ６）。そして、体動信号が睡眠判定値よりも所定時間（例えば３分）以上継続して大きい場合、就寝者からは継続的な粗動が生起しているとみなされ、就寝者が覚醒状態であると判定される。
【００３６】
ところで、以上のような睡眠判定動作時において、例えば就寝者が寝具に飛び乗ったり、寝具に激しい衝撃を与えた際には、感圧部（30）の内圧が著しく上昇することがある。このような場合において、感圧部（30）で高圧となった内圧が受圧部（40）のセンサ部（42）に作用すると、センサ部（42）の圧力信号が飽和状態となってしまう、あるいは、センサ部（42）が故障してしまう可能性がある。このため、本実施形態の睡眠センサ（20）では、受圧部（40）の挿入部（43）に逃がし通路（50）を形成している。したがって、上記感圧部（30）の内圧が上昇した場合、この内圧の一部は上記逃がし通路（50）を通じて感圧部（30）の外部に逃がされる。
【００３７】
−実施形態１の効果−
上記実施形態によれば、受圧部（40）に逃がし通路（50）を形成することで、感圧部（30）の内圧が著しく上昇した際、この内圧の一部を逃がし通路（50）を介して感圧部（30）の外部に逃がせるようにしている。このため、受圧部（40）に高圧状態の内圧が作用してしまうことを抑制でき、受圧部（40）の圧力信号が飽和状態となってしまうことを防止できる。また、この内圧により受圧部（40）が故障してしまうことも防止できる。したがって、この睡眠センサの信頼性の向上を図ることができる。
【００３８】
また、従来の睡眠センサであれば、柔軟性・可撓性を要する感圧部に逃がし通路（通気穴）を形成していたため、通気穴の加工が困難であったが、本実施形態では、柔軟性・可撓性を要さない受圧部（40）に逃がし通路（50）を形成するため、容易に逃がし通路（50）を加工することができる。また、従来の睡眠センサであれば、感圧部が撓んだり、曲がったりして逃がし通路が閉塞してしまう可能性もあったが、本実施形態では、受圧部（40）に逃がし通路（50）を形成するため、このような撓みや変形による逃がし通路（50）の閉塞の恐れもない。したがって、感圧部（30）の内圧の一部を外部に確実に逃がすことができる。
【００３９】
また、上記実施形態によれば、感圧部（30）と受圧部（40）とを接続するための挿入部（43）の外周面に逃がし通路（50）を形成するようにしている。したがって、逃がし通路（50）を比較的容易に加工することができる。また、逃がし通路（50）は、感圧部（30）の連結口（33）の内周面と挿入部（43）の外周面との間に形成されるため、逃がし通路（50）へのゴミや埃の進入を効果的に防止することができる。したがって、逃がし通路（50）の閉塞を未然に防止でき、睡眠センサの信頼性を向上できる。
【００４０】
《発明の実施形態２》
次に、実施形態２の睡眠センサ（20）について図５を参照しながら説明する。実施形態２の睡眠センサ（20）は、上記実施形態１と逃がし通路（50）の形成箇所が異なるものである。以下に、上記実施形態１と異なる点について説明する。
【００４１】
実施形態２の逃がし通路（50）は、受圧部（40）の配線口（45）の内周面に形成されている。この逃がし通路（50）は、図５(Ｂ)（図５(Ａ)のＹ−Ｙ断面図）に示すように、配線口（45）の内周面の一部に形成された溝で構成されており、この溝が配線口（45）の前後方向に延びている。つまり、逃がし通路（50）は、配線口（45）の内周面と外部端子（47）の外周面との間に形成されている。
【００４２】
また、実施形態２の受圧部（40）には、ケーシング（41）の内周面に角溝状の隙間通路（51）が形成されている。この隙間通路（51）は、センサ部（41）の前面とケーシング（41）の内壁との間に形成される第１隙間通路（51a）と、センサ部（41）の外周面とケーシング（41）の内周面との間に形成される第２隙間通路（51b）とで構成される。上記第１隙間通路（51a）は、一端が連通路（44）の後端と連通し、他端が上記第２隙間通路（51b）と連通している。また、上記第２隙間通路（52）の他端は、センサ部（41）の後方に位置するケーシング（41）の内部空間を介して上記逃がし通路（50）と連通している。
【００４３】
以上のような構成により、感圧部（30）の内部は、上記隙間通路（51）及び逃がし通路（50）を介して該感圧部（30）の外部と連通している。したがって、上記感圧部（30）の内圧が上昇した場合、この内圧の一部は上記隙間通路（51）及び上記逃がし通路（50）を通じて感圧部（30）の外部に逃がされる。
【００４４】
−実施形態２の効果−
上記実施形態２によれば、上記実施形態１と同様、受圧部（40）に逃がし通路（50）を形成することで、受圧部（40）に高圧状態の内圧が作用してしまうことを抑制できる。このため、受圧部（40）の圧力信号が飽和状態となってしまったり、受圧部（40）が故障してしまったりすることを防止できる。また、上記実施形態２によれば、センサ部（42）のリード線（46）が導通する配線口（45）の内周面に逃がし通路（50）を形成している。このため、逃がし通路（50）を一層容易に加工することができる。
【００４５】
《その他の実施形態》
上記実施形態については、以下のような構成としてもよい。
【００４６】
上記実施形態について、例えば図６に示すように、受圧部（40）の外側にカバー（60）を装着できる睡眠センサの構成としてもよい。この場合には、受圧部（40）を保護するとともに、逃がし通路（50）へのゴミや埃の進入を確実に防ぐことができる。したがって、逃がし通路（50）の閉塞を確実に防止でき、睡眠センサの信頼性を一層向上させることができる。
【００４７】
また、上記実施形態２では、隙間通路（51）をケーシング（41）の内壁に形成するようにしているが、例えば図７に示すように、この隙間通路（51）をセンサ部（42）のケーシングや、センサ部（42）の内部に形成することもできる。この場合にも、感圧部（30）の内圧の一部を上記隙間通路（51）及び逃がし通路（50）を介して感圧部（30）の外部に逃がすことができる。
【００４８】
さらに、上記実施形態では、睡眠センサ（20）に一本のチューブタイプの感圧部（30）を適用している。しかしながら、感圧部（30）は、複数のチューブが接続されたもの、チューブが蛇行した形状のもの、あるいは中空状のマットにより構成されたものなど、内部空間を有するタイプであれば如何なるタイプであってもよい。
【００４９】
なお、以上の実施形態は、本質的に好ましい例示であって、本発明、その適用物、あるいはその用途の範囲を制限することを意図するものではない。
【産業上の利用可能性】
【００５０】
以上説明したように、本発明は、就寝者の睡眠状態をモニタリングする体動測定装置などに適用される睡眠センサについて有用である。
【図面の簡単な説明】
【００５１】
【図１】実施形態の体動測定装置の概略構成図である。
【図２】(Ａ)は、実施形態１の睡眠センサの縦断面図、(Ｂ)は、図２(Ａ)のＺ−Ｚ断面図である。
【図３】実施形態の回路ユニットの概略構成図である。
【図４】実施形態の体動測定装置の睡眠判定動作例を示すフローチャートである。
【図５】(Ａ)は、実施形態２の睡眠センサの縦断面図、(Ｂ)は、図５(Ａ)のＹ−Ｙ断面図である。
【図６】その他の実施形態の睡眠センサの縦断面図である。
【図７】(Ａ)は、実施形態２の変形例の睡眠センサの縦断面図、(Ｂ)は、図７(Ａ)のＸ−Ｘ断面図である。
【符号の説明】
【００５２】
30  感圧部
33  連結口
40  受圧部
41  ケーシング
42  センサ部
43  挿入部
45  配線口
46  リード線
50  逃がし通路
60  カバー
【図１】
2006181071.tif 000003
【図２】
2006181071.tif 000004
【図３】
2006181071.tif 000005
【図４】
2006181071.tif 000006
【図５】
2006181071.tif 000007
【図６】
2006181071.tif 000008
【図７】
2006181071.tif 000009